(57)【要約】【課題】ユーザは通信装置へログインした場合にのみ、ダイレクト無線通信モードを利用でき、そのためには事前に、ユーザ認証を行う必要があったため、例えば社外から来客したユーザのように、認証用のＩＣカードやユーザＩＤ、パスワードを有していないユーザは、社内の印刷装置にログインすることができない。【解決手段】無線通信機能を備えた情報処理装置であって、ユーザを認証する認証手段と、表示部を有し、ユーザの操作を受け付ける操作手段とを有し、認証手段により認証されたユーザがログインしていない状態での操作手段における特定の操作に応じて、無線通信機能を使用した無線通信を開始させるための画面を表示部に表示させ、その表示された画面を介した指示に従って無線通信を開始させる。【選択図】  図７
2019127016.tif 000002
【特許請求の範囲】
【請求項１】
無線通信機能を備えた情報処理装置であって、
ユーザを認証する認証手段と、
表示部を有し、ユーザの操作を受け付ける操作手段と、
前記認証手段により認証されたユーザがログインしていない状態での前記操作手段における特定の操作に応じて、前記無線通信機能を使用した無線通信を開始させるための画面を前記表示部に表示させる表示制御手段と、
前記画面を介した指示に従って前記無線通信を開始させる制御手段と、
を有することを特徴とする情報処理装置。
【請求項２】
前記特定の操作に対して、前記無線通信機能を使用した無線通信を許可するか否かを設定する第１設定手段を更に有し、
前記表示制御手段は、前記第１設定手段が前記無線通信機能を使用した無線通信を許可する設定である場合に、前記無線通信機能を使用した無線通信を開始させるための前記画面を前記表示部に表示させることを特徴とする請求項１に記載の情報処理装置。
【請求項３】
前記第１設定手段が前記無線通信機能を使用した無線通信を許可する設定である場合に、当該無線通信のためのユーザ認証を行うか否かを設定する第２設定手段と、
前記第２設定手段がユーザ認証を行うように設定している場合、前記表示制御手段は、当該ユーザ認証に成功した場合に、前記無線通信機能を使用した無線通信を開始させるための前記画面を前記表示部に表示させることを特徴とする請求項２に記載の情報処理装置。
【請求項４】
前記制御手段は、前記無線通信を開始させるためのボタンを含む無線接続画面を前記表示部に表示し、当該ボタンの指示に従って前記無線通信を開始させることを特徴とする請求項１乃至３のいずれか１項に記載の情報処理装置。
【請求項５】
前記無線接続画面は更に、前記無線通信のためのＳＳＩＤと接続キーを含むことを特徴とする請求項４に記載の情報処理装置。
【請求項６】
前記無線接続画面は更に、前記無線通信の動作を停止するよう指示するボタンを有し、前記ボタンの指示に応じてログイン画面を前記表示部に表示することを特徴とする請求項４又は５に記載の情報処理装置。
【請求項７】
前記表示制御手段により前記表示部に表示される前記画面は、当該画面を介して選択できる前記情報処理装置の機能を限定した画面であることを特徴とする請求項１乃至５のいずれか１項に記載の情報処理装置。
【請求項８】
前記特定の操作は、前記操作手段の特定のキーの操作であることを特徴とする請求項１乃至７のいずれか１項に記載の情報処理装置。
【請求項９】
無線通信機能を備えた情報処理装置を制御する制御方法であって、
ユーザを認証する認証工程と、
ユーザの操作を受け付ける工程と、
前記認証工程で認証されたユーザがログインしていない状態で受け付けた特定の操作に応じて、前記無線通信機能を使用した無線通信を開始させるための画面を表示部に表示させる表示制御工程と、
前記画面を介した指示に従って前記無線通信を開始させる制御工程と、
を有することを特徴とする制御方法。
【請求項１０】
コンピュータを、請求項１乃至８のいずれか１項に記載の情報処理装置の各手段として機能させるためのプログラム。
【発明の詳細な説明】
【技術分野】
【０００１】
本発明は、情報処理装置とその制御方法、及びプログラムに関する。
【背景技術】
【０００２】
スマートフォンやタブレットＰＣ、印刷装置等の通信装置は、無線ＬＡＮ機能を備えている。無線ＬＡＮ機能において、複数の通信装置がアクセスポイントを介さずに直接接続するダイレクト無線通信モードが知られている。
【０００３】
特許文献１には、ダイレクト無線通信モードの一例であるアクセスポイントモードを用いて、印刷装置とモバイル端末とが直接、無線通信を行う構成が記載されている。
【０００４】
通信装置を用いてダイレクト無線通信モードを利用する場合、ユーザはダイレクト無線通信モードの動作を開始するように、その通信装置に指示する必要がある。例えば、ダイレクト無線通信モードの動作を開始するための「開始ボタン」を通信装置に表示して、ユーザがこの「開始ボタン」を押下することで、通信装置がダイレクト無線通信モードの動作を開始する。
【０００５】
また通信装置の中にはユーザ認証機能を備えているものがある。この場合例えば、通信装置が備えるＩＣカードリーダにユーザがＩＣカードをかざすか、ユーザが、ユーザＩＤとパスワードを通信装置に入力することでユーザ認証が実行される。そして、このユーザ認証の結果、認証に成功すると、そのユーザは、その通信装置にログインでき、ログインしたユーザは、その通信装置が提供する機能を利用できるようになる。
【先行技術文献】
【特許文献】
【０００６】
【特許文献１】特開２０１７−９８９１６号公報
【発明の概要】
【発明が解決しようとする課題】
【０００７】
従来の通信装置の場合、ユーザが通信装置にログインした後、通信装置がダイレクト無線通信モードの動作を開始するようになっていた。即ち、ユーザは通信装置へログインした場合にのみ、ダイレクト無線通信モードを利用でき、そのためには事前に、ユーザ認証を行う必要があった。そのため、例えば社外から来客したユーザのように、認証用のＩＣカードやユーザＩＤ、パスワードを有していないユーザは、社内の印刷装置にログインすることができない。そのため、そのユーザが所有しているモバイル端末に保存しているデータを、社内の印刷装置を使用して印刷することができないという課題があった。
【０００８】
本発明の目的は、上記従来技術の課題を解決することにある。
【０００９】
本発明の目的は、認証機能を有する情報処理装置で認証されていないユーザでも、その情報処理装置の機能を使用できる情技術を提供することにある。
【課題を解決するための手段】
【００１０】
上記目的を達成するために本発明の一態様に係る情報処理装置は以下のような構成を備える。即ち、
無線通信機能を備えた情報処理装置であって、
ユーザを認証する認証手段と、
表示部を有し、ユーザの操作を受け付ける操作手段と、
前記認証手段により認証されたユーザがログインしていない状態での前記操作手段における特定の操作に応じて、前記無線通信機能を使用した無線通信を開始させるための画面を前記表示部に表示させる表示制御手段と、
前記画面を介した指示に従って前記無線通信を開始させる制御手段と、を有することを特徴とする。
【発明の効果】
【００１１】
本発明によれば、認証機能を有する情報処理装置で認証されていないユーザでも、その情報処理装置の機能を使用できる効果がある。
【００１２】
本発明のその他の特徴及び利点は、添付図面を参照とした以下の説明により明らかになるであろう。なお、添付図面においては、同じ若しくは同様の構成には、同じ参照番号を付す。
【図面の簡単な説明】
【００１３】
添付図面は明細書に含まれ、その一部を構成し、本発明の実施形態を示し、その記述と共に本発明の原理を説明するために用いられる。
【図１】本発明の実施形態１に係る通信システムの概要を説明する図。
【図２】実施形態１に係る印刷装置のハードウェア構成を説明するブロック図。
【図３】実施形態１に係る印刷装置の操作部の上面図。
【図４】実施形態１に係る印刷装置の操作部の表示部に表示される画面例を示す図。
【図５】実施形態１に係る印刷装置の操作部の表示部に表示される画面例を示す図（Ａ）と、ユーザ管理テーブルの一例を示す図（Ｂ）。
【図６】実施形態１に係る印刷装置の操作部に表示されるダイレクト無線接続画面例を示す図。
【図７】実施形態１に係る印刷装置が実行する処理を説明するフローチャート。
【図８】実施形態２に係る印刷装置の操作部に表示されるダイレクト無線設定画面例を示す図。
【図９】実施形態２に係る印刷装置が実行する処理を説明するフローチャート。
【発明を実施するための形態】
【００１４】
以下、添付図面を参照して本発明の実施形態を詳しく説明する。尚、以下の実施形態は特許請求の範囲に係る本発明を限定するものでなく、また本実施形態で説明されている特徴の組み合わせの全てが本発明の解決手段に必須のものとは限らない。
【００１５】
［実施形態１］
図１は、本発明の実施形態１に係る通信システムの概要を説明する図である。
【００１６】
この通信システムは、本発明に係る情報処理装置の一例である印刷装置１００とモバイル端末１０１とを含んでいる。印刷装置１００は無線ＬＡＮ機能を備え、この無線ＬＡＮ機能には、インフラストラクチャーモードとアクセスポイントモードの２種類の無線通信モードが存在する。インフラストラクチャーモードは、印刷装置１００がアクセスポイント（不図示）のような中継装置に無線接続して、ＰＣ（パーソナルコンピュータ）等のネットワーク上のデバイスと通信する無線通信モードである。一方、アクセスポイントモードは、印刷装置１００においてソフトウェア・アクセスポイントを起動させることで、印刷装置１００自身がアクセスポイントとして振る舞う無線通信モードである。
【００１７】
スマートフォン等のモバイル端末１０１は、アクセスポイントモードで動作する印刷装置１００に無線接続し、写真等の電子ファイルを印刷するための印刷データを印刷装置１００に送信する。アクセスポイントモードによって、アクセスポイントのような中継装置を介することなく、印刷装置１００とモバイル端末１０１との間で直接、無線通信を確立することができる。尚、アクセスポイントモードは、印刷装置１００とモバイル端末１０１が直接、無線通信を確立するためのダイレクト無線通信モードの一例である。
【００１８】
尚、アクセスポイントモードの代わりに、例えば、Ｗｉ−ＦｉＤｉｒｅｃｔ（登録商標）のような他の無線通信方式を本実施形態に適用してもよい。本実施形態では、アクセスポイントモードやＷｉ−ＦｉＤｉｒｅｃｔ（登録商標）のように、直接、無線通信を確立するための通信方法をダイレクト無線として記述する。また詳しくは後述するが、印刷装置１００はユーザ認証機能を備える。
【００１９】
図２は、実施形態１に係る印刷装置１００のハードウェア構成を説明するブロック図である。
【００２０】
ＣＰＵ２０１は、ＲＯＭ２０２が記憶している制御プログラムをＲＡＭ２０３に展開し、その展開したプログラム実行することにより印刷装置１００の動作を制御する。ＲＯＭ２０２は、制御プログラムや各種データを記憶している。ＲＡＭ２０３は、ＣＰＵ２０１の主メモリ、ワークエリア等の一時記憶領域として用いられる。ＨＤＤ（ハードディスクドライブ）２０４は、様々なデータを記憶する不揮発性の記憶媒体で、ＨＤＤ以外の不揮発性のメモリであっても良い。尚、実施形態１に係る印刷装置１００は、１つのＣＰＵ２０１が後述するフローチャートに示す処理を実行するものとするが、他の態様であっても構わない。例えば、複数のＣＰＵが協働して、後述するフローチャートで示す処理を実行しても良い。また、後述するフローチャートの処理の一部をＡＳＩＣ等のハードウェア回路を用いて実行するようにしてもよい。
【００２１】
無線ＬＡＮＩ／Ｆ（インタフェース）２０５は、モバイル端末１０１やアクセスポイント等の外部装置との間で無線ＬＡＮ通信を実行する。無線ＬＡＮＩ／Ｆ２０５が実行する無線ＬＡＮ通信は、ＩＥＥＥ８０２．１１ａ／ｂ／ｇ／ｎ／ａｃ等の無線通信である。無線ＬＡＮＩ／Ｆ２０５は、インフラストラクチャーモードとアクセスポイントモードとで動作可能である。無線ＬＡＮＩ／Ｆ２０５は、予めユーザにより設定されているデバイス設定に従って、インフラストラクチャーモードとアクセスポイントモードのいずれか一方を選択して動作する。
【００２２】
ネットワークＩ／Ｆ２１０は、ＬＡＮケーブルを介して有線ＬＡＮに接続する。ネットワークＩ／Ｆ２１０は、有線ＬＡＮ上の外部装置（例えばＰＣ）と通信可能である。プリンタ２０６は、無線ＬＡＮＩ／Ｆ２０５やネットワークＩ／Ｆ２１０を介して受信した印刷データに基づいてシートに画像を印刷するプリンタエンジンである。スキャナ２０７は、原稿の画像を読み取り、その画像に対応する画像データを生成する。スキャナ２０７によって生成された画像データは、プリンタ２０６により印刷されたり、ＨＤＤ２０４に蓄積されたりする。操作部２０８は、タッチパネル機能を有する表示部とキーボード等を備え、表示部に各種操作画面を表示する。ユーザは、操作部２０８を介して印刷装置１００に対して指示や情報を入力することができる。ＩＣカードリーダ２０９は、ＩＣカードに記憶されているユーザ情報を読み取る。実施形態１では、ユーザが所有しているＩＣカードは、そのユーザのユーザＩＤとパスワードを記憶している。そしてＩＣカードリーダ２０９がＩＣカードから読み取ったユーザ情報に基づいて、印刷装置１００がユーザ認証を実行する。
【００２３】
図３は、実施形態１に係る印刷装置１００の操作部２０８の上面図である。
【００２４】
表示部３０１は、タッチパネル機能を有しており各種操作画面を表示する。ホームボタン３０２は、全ての操作の基本となるホーム画面に戻るように指示するボタンである。ログアウトボタン３０３は、操作を終えてユーザがログアウトするためのボタンである。戻るボタン３０４は、現在表示されている画面から１つ前の画面に戻るように指示するボタンである。クリアボタン３０５は、入力した文字や数字を取り消すためのボタンである。テンキー３０６は、数字や文字を入力するためのボタンである。
【００２５】
次に、印刷装置１００が提供する操作画面と、ユーザがダイレクト無線を利用する際の操作手順について説明する。
【００２６】
図４及び図５（Ａ）は、実施形態１に係る印刷装置１００の操作部２０８の表示部に表示される画面例を示す図である。
【００２７】
図４（Ａ）はログイン画面を示している。印刷装置１００の起動が完了すると、このログイン画面が表示される。ここでユーザは、ＩＣカードリーダ２０９にユーザ自身のＩＣカードをかざすことにより、ユーザの認証を行うことができる。
【００２８】
図５（Ｂ）は、印刷装置１００の、例えばＨＤＤ２０４に保存されているユーザ管理テーブルの一例を示す図である。
【００２９】
このユーザ管理テーブルは、印刷装置１００にログインすることが許可されているユーザのユーザ情報（ユーザ名、ユーザＩＤ、パスワード）を管理するための情報を保持している。従って、このユーザ管理テーブルに登録されているユーザが、印刷装置１００にログインできる。
【００３０】
ユーザが自身のＩＣカードをＩＣカードリーダ２０９にかざすと、ＩＣカードリーダ２０９は、そのＩＣカードからユーザ情報（ユーザＩＤとパスワード）を読み取る。そしてＣＰＵ２０１は、ＩＣカードリーダ２０９がＩＣカードから読み取ったユーザ情報が、ユーザ管理テーブルに登録されているか否かを判定する。ＩＣカードから読み取ったユーザ情報がユーザ管理テーブルに登録されていれば、認証に成功したことになり、操作部２０８の表示は図４（Ｂ）のメニュー画面に移行する。こうして認証に成功したユーザは、印刷装置１００にログインした状態になり、印刷装置１００の機能を使用することができる。一方、ＩＣカードから読み取ったユーザ情報がユーザ管理テーブルに登録されていなければ認証失敗となり、操作部２０８は認証ＮＧをユーザに通知し、メニュー画面は表示されない。
【００３１】
尚、実施形態１では、ＩＣカードリーダ２０９を用いずに、図４（Ａ）のログイン画面の入力欄４０１と入力欄４０２にそれぞれ、ユーザが操作部２０８を介してユーザＩＤとパスワードをユーザが入力してもよい。ユーザが入力欄４０１と入力欄４０２にユーザＩＤとパスワードを入力し、ログインボタン４０３を押すと印刷装置１００はユーザ認証を実行する。また印刷装置１００がユーザ管理テーブルを備えるのではなく、外部の認証サーバが備えていてもよい。認証サーバが、このユーザ管理テーブルを備える場合は、印刷装置１００は、ＩＣカードリーダ２０９或いは操作部２０８から入力されたユーザ情報を認証サーバに送信する。そして認証サーバによる認証処理の結果（認証成功、又は、認証失敗）を印刷装置１００が認証サーバから受け取ることで印刷装置１００はユーザ認証を実行する。
【００３２】
図４（Ｂ）のメニュー画面は、印刷装置１００が提供する機能をユーザが利用するためのボタンを表示している。コピーボタン４１１は、ユーザがコピー機能を利用するためのボタンである。ユーザが、このコピーボタン４１１を押下すると、操作部２０８は不図示のコピー画面を表示する。
【００３３】
印刷中止ボタン４１２は、ユーザが印刷中止（プリンタ２０６が印刷を中断し、印刷データを破棄する機能）を実行させるためのボタンである。ユーザが印刷中止ボタン４１２を押下すると、操作部２０８は不図示の印刷中止画面を表示する。
【００３４】
ダイレクト無線接続ボタン４１３は、ユーザがダイレクト無線通信を利用するためのボタンである。ユーザがダイレクト無線通信を利用する場合、ユーザは、まずダイレクト無線接続ボタン４１３を押下する。
【００３５】
設定ボタン４１４は、ユーザが、印刷装置１００のデバイス設定を行うためのボタンである。ユーザが設定ボタン４１４を押下すると、操作部２０８はユーザ操作に従って様々な設定画面を表示する。
【００３６】
図４（Ｃ）はダイレクト無線印刷の設定画面を示し、この画面は、図４（Ｂ）のメニュー画面で設定ボタン４１４が押下されることにより表示される設定画面の１つである。以下、この設定画面で設定可能な項目について詳しく説明する。
【００３７】
ダイレクト無線印刷の設定画面は、システム管理者のような特別な権限を有するユーザがアクセスできる画面である。項目４２１は、ユーザがログインしていない場合にダイレクト無線通信による印刷の利用許可を設定するための設定である。登録ボタン４２２は、このダイレクト無線印刷の設定画面の設定を印刷装置１００に反映させるためのボタンである。システム管理者が登録ボタン４２２を押下すると、このダイレクト無線印刷の設定画面で設定されている内容がＨＤＤ２０４に記憶され、この設定画面による設定が印刷装置１００に反映される。ダイレクト無線印刷の設定画面で、ユーザが「許可しない」４２３を選択して登録ボタン４２２を押下した場合は、ユーザ認証によりユーザが印刷装置１００にログインした場合にのみダイレクト無線通信による印刷の利用が可能になる。即ち、このダイレクト無線印刷の設定画面において「許可しない」４２３が設定された場合、図４（Ａ）のログイン画面でログイン認証を行った後、図４（Ｂ）のメニュー画面が表示される。この場合は、ユーザがログイン済みであるため、図４（Ｂ）のメニュー画面で全機能が表示されて選択可能となる。
【００３８】
一方、このダイレクト無線印刷の設定画面で、ユーザが「許可する」４２４を選択して登録ボタン４２２を押下した場合は、ユーザ認証によりユーザがログインしていなくてもダイレクト無線通信による印刷の利用を可能とする。ダイレクト無線印刷の設定画面で「許可する」４２４が設定された場合、図４（Ａ）のログイン画面が表示されているときに図３のホームボタン３０２が押下されると、図５（Ａ）のメニュー画面が表示される。
【００３９】
図５（Ａ）のメニュー画面が表示されるときは、ユーザがログインしていないため、このメニュー画面では、ダイレクト無線接続ボタン５０１と印刷中止ボタン５０２だけが選択可能となり、利用できる印刷装置１００の機能を限定している。
【００４０】
尚、図４（Ａ）のログイン画面が表示されているとき、ホームボタン３０２を押下した場合に図５（Ａ）のメニュー画面を表示するとしたが、例えば図３のログアウトボタン３０３等のその他のボタンを押下した場合に、このメニュー画面を表示させても良い。
【００４１】
図４（Ｂ）或いは図５（Ａ）の画面で、ユーザがダイレクト無線接続ボタン４１３、或いは５０１を押下したことに応じて、操作部２０８は図６（Ａ）の無線接続画面を表示する。
【００４２】
図６は、実施形態１に係る印刷装置１００の操作部２０８に表示されるダイレクト無線接続画面例を示す図である。
【００４３】
図６（Ａ）の無線接続画面には、開始ボタン６０１が表示される。この開始ボタン６０１は、ダイレクト無線通信の動作を開始するように、ユーザが印刷装置１００に指示するためのボタンである。操作部２０８が、この無線接続画面を表示している場合、印刷装置１００はダイレクト無線の動作を開始していない。従って、モバイル端末１０１が周囲のアクセスポイントを探索したとしても印刷装置１００を見つけることができず、モバイル端末１０１と印刷装置１００との間で無線接続を確立することはできない。モバイル端末１０１と印刷装置１００との間で無線接続を確立するためには、ユーザは、開始ボタン６０１を押下して印刷装置１００にダイレクト無線通信の動作を開始させる必要がある。ユーザが開始ボタン６０１を押下すると、印刷装置１００はダイレクト無線通信の動作を開始する。そして操作部２０８は、図６（Ｂ）の無線接続画面を表示する。
【００４４】
印刷装置１００がダイレクト無線で動作する場合、印刷装置１００はＳＳＩＤと接続キー（例えばＷＥＰキー）を生成する。図６（Ｂ）の無線接続画面の領域６１１には、印刷装置１００が生成したＳＳＩＤと接続キーが表示される。この領域６１１に表示されている内容を確認したユーザは、自身のモバイル端末１０１を用いて周囲のアクセスポイントを探索し、探索結果の一覧から、この領域６１１に表示されているＳＳＩＤのアクセスポイントを選択する。そして、この領域６１１に表示されている接続キーをユーザがモバイル端末１０１に入力することで、印刷装置１００とモバイル端末１０１との間でダイレクト無線接続が確立される。こうしてダイレクト無線通信機能を用いてモバイル端末１０１を印刷装置１００に無線接続した後、ユーザは、モバイル端末１０１上で印刷したいデータを選択する。そしてユーザが、モバイル端末１０１で印刷指示を入力すると、モバイル端末１０１はダイレクト無線による無線通信機能を用いて、ユーザが選択したデータを印刷するための印刷データを印刷装置１００に送信する。この印刷データを受信した印刷装置１００は、受信した印刷データに基づいて印刷処理を実行する。
【００４５】
一方、印刷装置１００がダイレクト無線通信の動作を開始すると、印刷装置１００はモバイル端末１０１のような外部装置から無線接続の確立要求を受けるための待ち受け状態となる。印刷装置１００がダイレクト無線通信の動作を開始すると、モバイル端末１０１が周囲のアクセスポイントを探索した際に、印刷装置１００を見つけることができる。そして、外部装置から無線接続の確立要求を受けると、印刷装置１００は、その外部装置との間でダイレクト無線通信による無線接続を確立する。この無線接続を確立した後、印刷装置１００と外部装置との間で実際のデータ通信（例えばモバイル端末１０１から印刷装置１００への印刷データの送信）が実行される。
【００４６】
図６（Ｂ）の無線接続画面には停止ボタン６１２が表示されている。この停止ボタン６１２は、ユーザが、ダイレクト無線通信の動作を停止させる停止指示を行うためのボタンである。ユーザは、印刷装置１００のダイレクト無線通信の動作を停止させたい場合に停止ボタン６１２を押下する。ユーザが停止ボタン６１２を押下すると、印刷装置１００はダイレクト無線通信の動作を停止する。また、印刷装置１００がダイレクト無線通信の動作中のままとなるのを防ぐため、図４（Ａ）のログイン画面へ表示を切り替える前には、図６（Ｂ）の無線接続画面を表示させる。そして、図６（Ｂ）の無線接続画面でユーザが停止ボタン６１２を押下して、印刷装置１００がダイレクト無線通信の動作を停止した場合にのみ、図４（Ａ）のログイン画面に遷移する。
【００４７】
次に、ユーザが印刷装置１００にログインせずにダイレクト無線を利用する際に印刷装置１００が実行する処理を、図７のフローチャートを参照して説明する。
【００４８】
図７は、実施形態１に係る印刷装置１００が実行する処理を説明するフローチャートである。尚、このフローチャートに示す各ステップの処理は、ＣＰＵ２０１がＲＯＭ２０２等のメモリに格納された制御プログラムをＲＡＭ２０３に展開して実行することによって達成される。尚、図７のフローチャートの少なくとも一部のステップをＣＰＵ２０１に実行させて、残りのステップをＣＰＵ２０１とは異なる他のＣＰＵ（不図示）が実行するように印刷装置１００を構成してもよい。
【００４９】
まずＳ７０１でＣＰＵ２０１は、操作部２０８に、図４（Ａ）に示すログイン画面を表示させる。ここでＩＣカードリーダ２０９がＩＣカードからユーザ情報を読み取るか、又は、ユーザがログイン画面の入力欄４０１と入力欄４０２にユーザＩＤとパスワードを入力してログインボタン４０３を押下することによりＳ７０２に進み、ユーザ認証を実行する。Ｓ７０２でＣＰＵ２０１は、入力されたユーザ情報に基づいて、そのユーザがログインが許可されているユーザであるか否かを判定する。この判定は、ユーザ情報が、前述のユーザ管理テーブルに登録されているか否かを確認することによって行われる。ここで、そのユーザ情報がユーザ管理テーブルに登録されていれば（認証成功と判定）と判定してＳ７０３に進む。一方、そのユーザ情報が、ユーザ管理テーブルに登録されていなければ（認証失敗と判定）Ｓ７０５に進む。
【００５０】
Ｓ７０３でＣＰＵ２０１は、操作部２０８に、図４（Ｂ）のメニュー画面を表示し、そのユーザによる全ての機能の利用を許可する。Ｓ７０４でＣＰＵ２０１は、メニュー画面で指示された機能を実行する各種操作を行い、Ｓ７０５でログアウト操作が行われたと判定するまでＳ７０４，Ｓ７０５を実行する。こうしてログアウト操作が行われるとＳ７０１に戻ってログイン画面を表示する。尚、Ｓ７０４における各種操作は、本発明とは直接関係しないので、その詳細な説明は省略する。
【００５１】
一方、Ｓ７０２でユーザの認証を行っていないときはＳ７０５に進みＣＰＵ２０１は、操作部２０８の特定ボタンが押下されたかどうか判定する。ここでの特定ボタンとは、前述したようにホームボタン３０２としているが、ログアウトボタン３０３やその他のボタンでも良い。ここで特定ボタンが押下されないときはＳ７０１に進むが、特定ボタンが押下されたと判定するとＳ７０７へ進む。Ｓ７０７でＣＰＵ２０１は、図４（Ｃ）の設定画面で、ログインしていない場合にダイレクト無線による印刷の利用許可が設定されているか否かを判定する。この判定は、図４（Ｃ）の設定画面で設定された事項を保持しているＨＤＤ２０４の情報を参照することでなされる。ここで、設定画面において「許可しない」４２３が選択されていた場合はＳ７０１に戻ってログイン画面を表示する。一方、設定画面で「許可する」４２４が選択されていた場合はＳ７０８に進みＣＰＵ２０１は、図５（Ａ）に示すメニュー画面を表示するように表示制御を行ってＳ７０９に進む。Ｓ７０８では、ユーザがログインしていない状態であるため、ダイレクト無線接続ボタン５０１と印刷中止ボタン５０２のみを選択可能としている。尚、Ｓ７０８において、図５（Ａ）のメニュー画面で印刷中止ボタン５０２が押下された場合、ダイレクト無線通信を用いて送信した印刷データの印刷処理が中止されるが、その詳細な説明は省略する。
【００５２】
Ｓ７０９でＣＰＵ２０１は、図５（Ａ）のメニュー画面でダイレクト無線接続ボタン５０１が選択され、図６（Ａ）の無線接続画面で開始ボタン６０１が押下されて、ダイレクト無線接続の開始が指示されたかどうか判定する。Ｓ７０９でＣＰＵ２０１が、ダイレクト無線接続の開始が指示されたと判定したときはＳ７１０に進むが、そうでないときはＳ７０８に進む。Ｓ７１０でＣＰＵ２０１は、アクセスポイントモードでの無線通信の動作を開始する。具体的には、ＣＰＵ２０１は、開始ボタン６０１が押下されると操作部２０８に図６（Ｂ）のダイレクト無線接続画面を表示させる。ここで、モバイル端末１０１のユーザが、この無線接続画面の領域６１１に表示されている接続キーをモバイル端末１０１に入力することで、印刷装置１００とモバイル端末１０１との間でダイレクト無線接続が確立される。そしてモバイル端末１０１のユーザは、ダイレクト無線通信による無線通信機能を用いて、ユーザが選択したデータを印刷するための印刷データを印刷装置１００に送信する。この印刷データを受信した印刷装置１００は、その印刷データに基づいて印刷処理を実行する。そしてＳ７１１に進みＣＰＵ２０１は、図６（Ｂ）の無線接続画面の停止ボタン６１２が押下されたか否かを判定し、停止ボタン６１２が押下されたと判定した場合はＳ７１２に進む。Ｓ７１２でＣＰＵ２０１は、ダイレクト無線通信の動作を停止してＳ７０１に戻り、ログイン画面を表示する。
【００５３】
また、Ｓ７１０において、図４（Ａ）のログイン画面へ表示を切り替える前には、図６（Ｂ）の無線接続画面を表示させるものとする。これは印刷装置１００がダイレクト無線通信の動作中のままとなるのを防ぐためである。
【００５４】
以上説明したように実施形態１によれば、印刷装置でユーザが認証されていない場合でも、印刷装置で特定の操作を行うことにより、印刷装置をダイレクト無線通信モードに移行させることができる。これにより、認証されていないユーザの端末から印刷装置にダイレクト無線通信で印刷データを送信して印刷させることができる。
【００５５】
［実施形態２］
上述の実施形態１では、印刷装置にユーザがログインせずに、印刷装置特定の操作を行うことにより、印刷装置をダイレクト無線通信モードに移行させて利用できる例で説明した。
【００５６】
これに対して実施形態２では、印刷装置の操作部の特定のボタンを押下するとダイレクト無線通信の認証画面を表示し、この認証を実行した場合に限り、ダイレクト無線通信モードに移行させる例を説明する。尚、実施形態２に係る通信システム、及び印刷装置のハードウェア構成等は前述の実施形態１と同様であるため、その説明を省略する。
【００５７】
図８は、実施形態２に係る印刷装置１００の操作部２０８に表示されるダイレクト無線設定画面例を示す図である。
【００５８】
図８（Ａ）のダイレクト無線設定画面で設定可能な項目について詳しく説明する。
【００５９】
このダイレクト無線設定画面は、システム管理者のような特別な権限を有するユーザがアクセスできる画面である。項目８０１は、ログインしていない場合のダイレクト無線通信での印刷の利用において、ダイレクト無線通信のための認証を行うかどうかの設定である。登録ボタン８０３は、このダイレクト無線設定画面による設定を印刷装置１００に反映させるためのボタンである。システム管理者が登録ボタン８０３を押下すると、このダイレクト無線設定画面で設定された内容がＨＤＤ２０４に記憶されて印刷装置１００に反映される。項目８０１において「利用する」８０４を選択すると、ダイレクト無線通信の認証に成功してログインした場合にのみダイレクト無線通信での印刷の利用を許可する。従って、「利用する」８０４が選択された場合は、ダイレクト無線通信の認証用のパスワード８０２の設定を必要とする。「利用する」８０４が選択された場合、図８（Ｂ）のログイン画面でユーザの認証に成功してユーザがログインした場合にのみ、図５（Ａ）のメニュー画面が表示される。
【００６０】
一方、項目８０１において「利用しない」８０５が選択されると、ダイレクト無線通信の認証を表示することなく、図５（Ａ）のメニュー画面が表示される。
【００６１】
図９は、実施形態２に係る印刷装置１００が実行する処理を説明するフローチャートである。尚、このフローチャートに示す各ステップの処理は、ＣＰＵ２０１がＲＯＭ２０２等のメモリに格納された制御プログラムをＲＡＭ２０３に展開して実行することによって達成される。尚、図９のフローチャートの少なくとも一部のステップをＣＰＵ２０１に実行させて、残りのステップをＣＰＵ２０１とは異なる他のＣＰＵ（不図示）が実行するように印刷装置１００を構成してもよい。尚、図９において、前述の図７のフローチャートと同じ処理ステップは同じ参照番号で示し、それらの説明を省略する。
【００６２】
図９のＳ７０７において、ダイレクト無線通信による印刷の利用許可が設定されている場合はＳ９０１に進む。Ｓ９０１でＣＰＵ２０１は、図８（Ａ）のダイレクト無線設定画面で、ダイレクト無線通信の認証を実施するように設定されているか否かを、ＨＤＤ２０４の情報を基に判定する。ここで「利用しない」８０５、即ち、ダイレクト無線通信の認証を実施しないと設定されているときはＳ７０８へ進み、前述の実施形態１と同様に、図５（Ａ）のメニュー画面を表示させる。
【００６３】
一方、Ｓ９０１でＣＰＵ２０１は、「利用する」８０４、即ち、ダイレクト無線通信の認証を実施すると設定されているときはＳ９０２へ進みＣＰＵ２０１は、図８（Ｂ）に示すログイン画面を操作部２０８に表示する。ここでユーザが、入力欄８１１にパスワードを入力してログインボタン８１２を押すとＳ９０３に進みＣＰＵ２０１は、図８（Ａ）の設定画面で設定されたパスワード８０２と、ログイン画面の入力欄８１１に入力されたパスワードとを比較する。そしてこれらが一致するとダイレクト無線通信の認証に成功したとしてＳ７０８に進む。一方、これらが一致しなければ、認証に失敗したと判定してＳ９０２に進み、図８（Ｂ）のログイン画面を再表示する。
【００６４】
以上説明したように実施形態２によれば、上述の実施形態１の効果に加えて、ログインしていないユーザでも、無線通信用のユーザ認証に成功すれば、印刷装置をダイレクト無線通信モードに移行させることができる。これにより、認証されていないユーザの端末から印刷装置に、ダイレクト無線通信で印刷データを送信して印刷させることができる。
【００６５】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【００６６】
本発明は上記実施形態に制限されるものではなく、本発明の精神及び範囲から離脱することなく、様々な変更及び変形が可能である。従って、本発明の範囲を公にするために、以下の請求項を添付する。
【符号の説明】
【００６７】
１００…印刷装置、１０１…モバイル端末、２０１…ＣＰＵ、２０２…ＲＯＭ、２０３…ＲＡＭ、２０４…ＨＤＤ，２０８…操作部
【図１】
2019127016.tif 000003
【図２】
2019127016.tif 000004
【図３】
2019127016.tif 000005
【図４】
2019127016.tif 000006
【図５】
2019127016.tif 000007
【図６】
2019127016.tif 000008
【図７】
2019127016.tif 000009
【図８】
2019127016.tif 000010
【図９】
2019127016.tif 000011